(57)【要約】【課題】  調心及び光結合が容易であるとともに、これら調心及び光結合に高価な装置を必要としない光ジャンクションコネクタを提供する。【解決手段】  ロック部を用いて相嵌合する一方の光コネクタ２４と他方の光コネクタ２５とを備えるとともに、一方の光コネクタ２４のコネクタハウジング２６内には、光ファイバ２２を介して伝送される光信号の中継及び／又は光分波・光合波をするための光導波路を有する光導波路部材２３を設けて光ジャンクションコネクタ２１を構成する。また、光導波路部材２３を部材装着用台２７に取り付けてコネクタハウジング２６内に収容する構造にするとともに、部材装着用台２７には一方及び他方の光コネクタ２４、２５の各フェルール２９、４７が挿抜自在に接続されるフェルール接続部３９、４０を形成する。その他、フェルール２９、４７を部材装着用台２７に対して押し付ける構造にする。【選択図】    図１
2005189815.tif 000002
【特許請求の範囲】
【請求項１】
ロック部を用いて相嵌合する一方の光コネクタと他方の光コネクタとを備え、該一方の光コネクタのコネクタハウジング内には、光ファイバを介して伝送される光信号の中継及び／又は光分波・光合波をするための光導波路を有する光導波路部材を設けた
ことを特徴とする光ジャンクションコネクタ。
【請求項２】
請求項１に記載の光ジャンクションコネクタにおいて、
前記光導波路部材を取り付けた状態で前記コネクタハウジング内に収容される部材装着用台を設け、該部材装着用台には前記一方及び他方の光コネクタの各フェルールが挿抜自在に接続されるフェルール接続部を形成した
ことを特徴とする光ジャンクションコネクタ。
【請求項３】
請求項３に記載の光ジャンクションコネクタにおいて、
前記フェルールを前記部材装着用台に対して押し付けるための押圧部材を、前記一方及び他方の光コネクタ、又は前記一方の光コネクタに設けた
ことを特徴とする光ジャンクションコネクタ。
【請求項４】
請求項２又は請求項３に記載の光ジャンクションコネクタにおいて、
前記部材装着用台に、前記フェルール接続部に挿入される前記フェルールに対しての挿入深さを規制するフェルール当接面を形成した
ことを特徴とする光ジャンクションコネクタ。
【請求項５】
請求項２ないし請求項４いずれか記載の光ジャンクションコネクタにおいて、
前記部材装着用台に取り付けた前記光導波路部材を押さえ付けるための押さえ部材を設けた
ことを特徴とする光ジャンクションコネクタ。
【請求項６】
請求項２ないし請求項４いずれか記載の光ジャンクションコネクタにおいて、
前記部材装着用台に取り付けた前記光導波路部材を押さえ付けるための押さえ付け部を前記コネクタハウジング又は前記部材装着用台に一体に設けた
ことを特徴とする光ジャンクションコネクタ。
【請求項７】
請求項２ないし請求項６いずれか記載の光ジャンクションコネクタにおいて、
前記部材装着用台に前記フェルールをコネクタ嵌合方向に案内する案内部を形成するとともに、前記フェルールには前記案内部に案内される被案内部を形成した
ことを特徴とする光ジャンクションコネクタ。
【発明の詳細な説明】
【技術分野】
【０００１】
本発明は、伝送される光信号の中継及び／又は光分波・光合波をするための受動デバイスに関し、特に、自動車内の各種電装機器の配索に利用される光通信や、宅内・ビル内の光通信等に好適なコネクタタイプのもの、すなわち光ジャンクションコネクタに関する。
【背景技術】
【０００２】
近年、自動車内や宅内・ビル内において光通信が普及してきており、光によって通信を行うノード数（端末数）の増加に伴ってネットワークの多様化が進んでいる。そこで、ワイヤハーネスでのジャンクションブロックに相当し、光の分波・合波を行えるような受動デバイスが必要になっている。
【０００３】
この種の受動デバイスとしては、図６９に示されるような光導波路モジュールが知られており、次のような各工程を経て光学的な結合が行われている（例えば特許文献１参照）。
【０００４】
すなわち、光導波路モジュール１の光導波路２の配列に合わせて光ファイバ３を整列し、整列光ファイバ４、５を形成する工程と、整列光ファイバ４及び光導波路モジュール１を通った光を含む画像をテレビカメラ６及びモニタ７によってモニタしつつ整列光ファイバ４及び光導波路モジュール１を粗く位置決めする工程と、整列光ファイバ５を光量測定器８に接続した後、これによって整列光ファイバ４及び光導波路モジュール１を通った光を測定しつつ、整列光ファイバ４、５並びに光導波路モジュール１の精密な光軸合わせを行う工程と、光導波路モジュール１の各端面に整列光ファイバ４、５を接着固定する工程とを備えて光学的な結合が行われるようになっている。
【０００５】
尚、図６９における引用符号９はパソコン、１０はコントローラ、１１はレーザーダイオード、１２はステージを示している。ステージ１２は、パソコン９及びコントローラ１０によって制御されている。
【特許文献１】特開平８−４３６７６号公報  （第３頁〜第４頁、第４図）
【発明の開示】
【発明が解決しようとする課題】
【０００６】
ところで、上記従来技術にあっては、光ファイバ３と光導波路２の調心（光軸合わせ）及び光結合に高価な装置、時間を要するという問題点を有している。また、整列光ファイバ４、５と光導波路モジュール１の固定に接着剤を必要とし、さらにはその接着剤硬化のための光源装置、硬化時間を要するという問題点を有している。
【０００７】
本発明は、上述した事情に鑑みてなされるもので、調心及び光結合が容易であるとともに、これら調心及び光結合に高価な装置を必要としない光ジャンクションコネクタを提供することを課題とする。
【課題を解決するための手段】
【０００８】
上記課題を解決するためなされた請求項１記載の本発明の光ジャンクションコネクタは、ロック部を用いて相嵌合する一方の光コネクタと他方の光コネクタとを備え、該一方の光コネクタのコネクタハウジング内には、光ファイバを介して伝送される光信号の中継及び／又は光分波・光合波をするための光導波路を有する光導波路部材を設けたことを特徴としている。このような特徴を有する本発明によれば、一方の光コネクタと他方の光コネクタとを嵌合させると、各光コネクタのロック部同士が嵌合して、光導波路部材の光導波路と各光コネクタの光ファイバとが調心される。これにより、光導波路部材を介しての、光信号の中継及び／又は光分波・光合波が完了する。
【０００９】
請求項２記載の本発明の光ジャンクションコネクタは、請求項１に記載の光ジャンクションコネクタにおいて、前記光導波路部材を取り付けた状態で前記コネクタハウジング内に収容される部材装着用台を設け、該部材装着用台には前記一方及び他方の光コネクタの各フェルールが挿抜自在に接続されるフェルール接続部を形成したことを特徴としている。このような特徴を有する本発明によれば、光導波路部材が部材装着用台に取り付けられ、その部材装着用台に取り付けられた状態で光導波路部材がコネクタハウジング内に収容される。光導波路部材がコネクタハウジング内に収容された状態で、部材装着用台のフェルール接続部には、一方の光コネクタのフェルールが差し込まれる。その後、一方の光コネクタと他方の光コネクタとを嵌合させると、他方の光コネクタのフェルールが部材装着用台のフェルール接続部に差し込まれる。各フェルールの差し込みがなされると光結合が完了する。
【００１０】
請求項３記載の本発明の光ジャンクションコネクタは、請求項３に記載の光ジャンクションコネクタにおいて、前記フェルールを前記部材装着用台に対して押し付けるための押圧部材を、前記一方及び他方の光コネクタ、又は前記一方の光コネクタに設けたことを特徴としている。このような特徴を有する本発明によれば、押圧部材からの作用を受けてフェルールが部材装着用台のフェルール接続部に差し込まれる。言い換えれば、各フェルールは、フェルール接続部に向けて常に押し付けられる。
【００１１】
請求項４記載の本発明の光ジャンクションコネクタは、請求項２又は請求項３に記載の光ジャンクションコネクタにおいて、前記部材装着用台に、前記フェルール接続部に挿入される前記フェルールに対しての挿入深さを規制するフェルール当接面を形成したことを特徴としている。このような特徴を有する本発明によれば、部材装着用台のフェルール接続部にフェルールが差し込まれると、部材装着用台に取り付けられた光導波路部材にフェルールが当接する前にそのフェルールがフェルール当接面に当接する。尚、フェルールに対しての挿入深さは、光導波路と光ファイバとの間隙が最小になるように設定される。
【００１２】
請求項５記載の本発明の光ジャンクションコネクタは、請求項２ないし請求項４いずれか記載の光ジャンクションコネクタにおいて、前記部材装着用台に取り付けた前記光導波路部材を押さえ付けるための押さえ部材を設けたことを特徴としている。このような特徴を有する本発明によれば、押さえ部材により光導波路部材が押さえ付けられる。部材装着用台における光導波路部材の位置がより一層安定する。尚、押さえ部材の代わりとしては、請求項６の発明や、これ以外の機構、具体的には光導波路部材に対する所定の位置合わせ機構を部材装着用台に形成することが挙げられる。
【００１３】
請求項６記載の本発明の光ジャンクションコネクタは、請求項２ないし請求項４いずれか記載の光ジャンクションコネクタにおいて、前記部材装着用台に取り付けた前記光導波路部材を押さえ付けるための押さえ付け部を前記コネクタハウジング又は前記部材装着用台に一体に設けたことを特徴としている。このような特徴を有する本発明によれば、コネクタハウジングの押さえ付け部、又は部材装着用台の押さえ付け部により光導波路部材が押さえ付けられる。部材装着用台における光導波路部材の位置がより一層安定する。押さえ付け部をコネクタハウジング又は部材装着用台に一体化することにより部品点数の増加が抑えられる。押さえ付け部としては、弾性変形可能な片状の押さえ付け片や、端部に爪部分を有して弾性片可能な係止突起などが挙げられる。
【００１４】
請求項７記載の本発明の光ジャンクションコネクタは、請求項２ないし請求項６いずれか記載の光ジャンクションコネクタにおいて、前記部材装着用台に前記フェルールをコネクタ嵌合方向に案内する案内部を形成するとともに、前記フェルールには前記案内部に案内される被案内部を形成したことを特徴としている。このような特徴を有する本発明によれば、部材装着用台のフェルール接続部にフェルールが差し込まれる際に、案内部及び被案内部が用いられる。
【発明の効果】
【００１５】
請求項１に記載された本発明によれば、高価な装置や接着剤を必要としない構成のものとして本発明の光ジャンクションコネクタを提供することができる。また、調心及び光結合が容易なものとして本発明の光ジャンクションコネクタを提供することができる。本発明の光ジャンクションコネクタは、少ない構成で光信号の中継及び／又は光分波・光合波をすることができる。
【００１６】
請求項２に記載された本発明によれば、光導波路部材を部材装着用台に取り付けることにより、簡単に光導波路部材をコネクタハウジング内に設けることができる。また、部材装着用台を用いることにより、光導波路と光ファイバとの調心を容易にすることができる。
【００１７】
請求項３に記載された本発明によれば、押圧部材からの作用に抗する力を外部から加えない限り光結合の状態を良好のまま維持することができる。すなわち、光導波路と光ファイバとの間隙を最小に保つことができる。
【００１８】
請求項４に記載された本発明によれば、光導波路と光ファイバとの接触を妨げることができる。従って、振動等に起因して発生する端面損傷を阻止することができる。
【００１９】
請求項５、６に記載された本発明によれば、部材装着用台における光導波路部材の位置をより一層安定させることができる。
【００２０】
請求項７に記載された本発明によれば、光導波路と光ファイバとの調心をより一層容易にすることができる。
【発明を実施するための最良の形態】
【００２１】
以下、図面を参照しながら説明する。
図１は本発明の光ジャンクションコネクタの一実施の形態を示す分解斜視図である。また、図２は一方の光コネクタの分解斜視図、図３は他方の光コネクタの分解斜視図、図４は一方及び他方の光コネクタの嵌合前の状態を示す斜視図、図５は一方及び他方の光コネクタの嵌合状態を示す斜視図、図６は光導波路部材の斜視図である。
【００２２】
図１ないし図６において、引用符号２１は自動車内の光通信や、宅内・ビル内の光通信等に用いられる本発明の光ジャンクションコネクタを示している。その光ジャンクションコネクタ２１は、光ファイバ２２（例えばコア径が２００μｍ程度以上のもの）の各光通信経路の端部間に介在するものであって、光ファイバ２２により伝送される光信号の中継及び／又は光分波・光合波をすることができるように構成されている。具体的には、本発明の光ジャンクションコネクタ２１は、光導波路部材２３を有する一方の光コネクタ２４と、その一方の光コネクタ２４に嵌合する他方の光コネクタ２５とを備えて成されている。以下、各構成部材について詳細に説明する。
【００２３】
上記一方の光コネクタ２４は、所謂レセプタクルタイプの光コネクタであって、コネクタハウジング２６と、そのコネクタハウジング２６の内部に収容される上記光導波路部材２３と、光導波路部材２３をコネクタハウジング２６の内部に収容するための部材装着用台２７と、光導波路部材２３の上に装着される押さえ部材２８と、上記光ファイバ２２の端末に取り付けられてコネクタハウジング２６の内部に収容されるフェルール２９と、そのフェルール２９を部材装着用台２７に対して押し付けるように作用する押圧部材３０と、押圧部材３０を取り付けてコネクタハウジング２６の後部に嵌合する押圧部材押さえ用キャップ３１とを備えて構成されている。
【００２４】
コネクタハウジング２６は、合成樹脂材料を用いて成形されており、長手方向に直行する方向の断面が略長方形状の中空空間となる矩形筒状に形成されている。このようなコネクタハウジング２６の前面側の内部には、上記他方の光コネクタ２５を差し込むための嵌合空間が形成されている。また、コネクタハウジング２６の中間内部には、光導波路部材２３を取り付けた状態の部材装着用台２７を収容するための第一収容空間が形成されている。さらに、コネクタハウジング２６の後面側の内部には、フェルール２９を収容するための第二収容空間が形成されている。これら嵌合空間、第一収容空間、及び第二収容空間は、連続する空間として形成されている。尚、第一収容空間には、部材装着用台２７に対する図示しない位置決め用のストッパが形成されている。
【００２５】
コネクタハウジング２６の前面側の外部には、上記他方の光コネクタ２５の後述するロッキングアーム５０を引っ掛けるためのアーム係止部３２（ロック部）が形成されている。そのアーム係止部３２は、コネクタハウジング２６の上面（上壁）に形成されている。アーム係止部３２には、上記他方の光コネクタ２５を案内するためのガイド溝３３が形成されている。ガイド溝３３は、上記嵌合空間側に形成されている。
【００２６】
コネクタハウジング２６の後面側の外部には、押圧部材押さえ用キャップ３１に対する案内用のガイド突起３４と係止突起３５とが形成されている。ガイド突起３４は、コネクタハウジング２６の上面に形成されている。また、係止突起３５は、コネクタハウジング２６の側面（側壁）に形成されている。
【００２７】
光導波路部材２３は、本形態において、平面視矩形状となる板状の部材であって、光分波用（中継及び／又は光合波用であってもよいものとする）の複数の光導波路３６と、その複数の光導波路３６が配置される合成樹脂製の基板３７とを備えて構成されている。また、光導波路部材２３は、部材装着用台２７に対してガタツキなく装着されるように形成されている。光導波路３６は、コア及びそのコアよりも屈折率の低いクラッド（後述するアンダークラッドとオーバークラッドで構成される）を有している。このような光導波路３６は、基板３７に対して所望の経路で配置されている（配置状態は特に限定されないものとする）。また、光導波路３６の端面（端部）は、基板３７の端面（端部）に対して面一に形成されており、その端面から露出するように配置されている。
【００２８】
ここで、光導波路部材２３の製造方法について一例を挙げて説明する。光導波路部材２３は、以下の第一工程〜第三工程を順に経て製造される。尚、以下説明の製造方法は量産性がよいという利点を有する。
【００２９】
第一工程では、例えばシリコン基板やガラス基板やアクリル基板などからなる基板３７の上にアンダークラッドの層を成形する作業を行う。そのアンダークラッドの層は、基板３７の全面にわたって成形される。アンダークラッドの層は、コア材料（アクリル系ＵＶ硬化樹脂：ＮＯＲＬＡＮＤ製ＮＯＡ６１ｎ＝１．５６、アクリル系ＵＶ硬化樹脂：ＮＯＲＬＡＮＤ製ＮＯＡ６８ｎ＝１．５４、エポキシ系ＵＶ硬化樹脂：ＥＭＩ製ＯＰＴＯＣＡＳＴ３５０６ｎ＝１．５６など。一例であるものとする）よりも屈折率が低い合成樹脂材料（ＰＭＭＡ：三菱レイヨン製のアクリペットｎ＝１．４９、ＰＰ：三井住友化学製の三井住友ポリプロｎ＝１．４９など。一例であるものとする）で成形される。アンダークラッドの層は適宜厚みを有するように成形される。尚、基板３７を透明なものとする場合、これをアンダークラッドの層と兼ねるようにしてもよいものとする。
【００３０】
第二工程では、アンダークラッドの層の上にコアを成形する作業を行う。そのコアは、コア材料（アクリル系ＵＶ硬化樹脂：ＮＯＲＬＡＮＤ製ＮＯＡ６１ｎ＝１．５６、アクリル系ＵＶ硬化樹脂：ＮＯＲＬＡＮＤ製ＮＯＡ６８ｎ＝１．５４、エポキシ系ＵＶ硬化樹脂：ＥＭＩ製ＯＰＴＯＣＡＳＴ３５０６ｎ＝１．５６など。一例であるものとする）により所望の経路で凸状形状に成形される。コアは、コア成形用凹部を有するコア用成形型を用いて成形される。
【００３１】
第三工程では、コアの周囲にオーバークラッドの層を成形する作業を行う。そのオーバークラッドの層は、上記コア材料よりも屈折率が低い合成樹脂材料（アクリル系ＵＶ硬化樹脂：ＮＯＲＬＡＮＤ製ＮＯＡ６５ｎ＝１．５２、アクリル系ＵＶ硬化樹脂：協立化学産業製ＸＶＬ−９０ｎ＝１．５２、エポキシ系ＵＶ硬化樹脂：ＥＭＩ製ＯＰＴＯＣＡＳＴ３５０５ｎ＝１．５２など。一例であるものとする）で成形される。オーバークラッドの層は、オーバークラッド成形用凹部を有するオーバークラッド用成形型を用いて成形される。
【００３２】
部材装着用台２７は、合成樹脂材料を用いて成形されており、図示のような底壁と前壁と後壁と一対の側壁とを有する浅底の略箱形状に形成されている。各壁に囲まれて形成される内部空間は、光導波路部材２３を装着するための装着部３８であって、平面視矩形状に形成されている。光導波路部材２３は、本形態において、装着部３８に対して嵌め込み式でガタツキなく位置合わせされた状態で装着されるようになっている。部材装着用台２７は、光導波路部材２３を装着した状態でコネクタハウジング２６の上記第一収容空間に収容されるように形成されている。部材装着用台２７は、上記第一収容空間の上記ストッパに当接してその位置決めがなされるようになっている。
【００３３】
部材装着用台２７の上記後壁には、フェルール２９を挿抜自在に接続させるためのフェルール接続部３９が形成されている。そのフェルール接続部３９は、スリット状であって、フェルール２９の後述する凸部４２の形状に合わせて形成されている。また、部材装着用台２７の上記前壁には、上記他方の光コネクタ２５の後述するフェルール４７を挿抜自在に接続させるためのフェルール接続部４０が形成されている。そのフェルール接続部４０も上記フェルール接続部３９と同様に、後述するフェルール４７の後述する凸部５４の形状に合わせて形成されている。
【００３４】
部材装着用台２７の上記後壁は、フェルール２９に対しての挿入深さ（後述する凸部４２の挿入深さ）を規制するフェルール当接面としての機能を有している。また、部材装着用台２７の上記前壁も同様に、後述するフェルール４７に対しての挿入深さ（後述する凸部５４の挿入深さ）を規制するフェルール当接面としての機能を有している。
【００３５】
部材装着用台２７には、その上記前壁から後壁にかけて、より具体的には各側壁を各々貫通するように孔が形成されている。各孔には、フェルール２９及び後述するフェルール４７をコネクタ嵌合方向に案内するピンが差し込まれて案内部４１が形成されている。上記ピンは、前壁から後壁までの長さよりも長く形成されており、前壁及び後壁からそれぞれ所定の長さ分だけ突出した部分が案内部４１として設定されている。尚、上記ピンは、前壁から後壁を貫通するものでなくてもよいものとする。すなわち、前壁用のピンと後壁のピンとに分けてもよいものとする。
【００３６】
押さえ部材２８は、部材装着用台２７に取り付けられた光導波路部材２３の上からその光導波路部材２３を押さえ付けるための弾性変形可能な部材であって、例えば図示のような矩形状に形成されている。押さえ部材２８は、例えばゴムや発泡樹脂やゲルなどで形成されている。押さえ部材２８は、その一方の面が光導波路部材２３に接触するとともに、他方の面がコネクタハウジング２６の中間内部に接触するようになっている。また、押さえ部材２８は、これらの間で若干の弾性変形が生じるようになっている。押さえ部材２８は、部材装着用台２７における光導波路部材２３の位置を安定させるために設けられている。尚、部材装着用台２７に光導波路部材２３に対する所定の位置合わせ機構を形成した場合には、押さえ部材２８の設定を任意としてもよいものとする。
【００３７】
フェルール２９は、合成樹脂材料を用いて成形されており、図示のような略箱形状に形成されている。フェルール２９は、光ファイバ２２の先端を保持するとともに、光ファイバ２２を光導波路部材２３の光導波路３６に光結合させるための部材であって、本形態においては、一方の光コネクタ２４に四本の光ファイバ２２を用いることから、その四本の光ファイバ２２を横一列にまとめた状態で光導波路部材２３に対し光結合させることができるように形成されている（光ファイバ２２毎にフェルールを設けるよりも光結合の安定性、作業性、コスト等が向上することは言うまでもない。光ファイバ２２の数は一例であるものとする）。フェルール２９は、コネクタハウジング２６の上記第二収容空間に収容されるように形成されている。
【００３８】
フェルール２９の前面は、フェルール当接面としての機能を有する部材装着用台２７の上記後壁に対して当接するように形成されている。このようなフェルール２９の前面には、部材装着用台２７のフェルール接続部３９に差し込まれる凸部４２が形成されている。その凸部４２は、四本の光ファイバ２２の端面を露出させる部分として形成されている。また、フェルール２９の前面には、孔状の被案内部４３が形成されている。その被案内部４３は、部材装着用台２７に設けられる案内部４１により案内される部分として形成されている。尚、案内部４１と被案内部４３の配置を逆にしてもよいものとする。すなわち、部材装着用台２７側を孔状、フェルール２９側をピン状にしてもよいものとする。
【００３９】
押圧部材３０は、フェルール２９を部材装着用台２７に対して押し付けるための部材であって、本形態においては板バネが用いられている（板バネに限らないものとする。例えばコイルスプリングや柔軟性部材のような弾発力を生じさせることができれば他の部材でもよいものとする）。押圧部材３０からの作用を受けてフェルール２９は、常に部材装着用台２７のフェルール接続部３９に向けて押し付けられるようになっている。
【００４０】
押圧部材押さえ用キャップ３１は、合成樹脂材料を用いて成形されており、図示のような底壁と後壁と一対の側壁とを有する、前面と上面とが解放された略箱形状に形成されている。押圧部材押さえ用キャップ３１は、押圧部材３０の位置を固定するための部材であって、コネクタハウジング２６の後部（上記後面側の外部に相当）に嵌合するように形成されている。
【００４１】
押圧部材押さえ用キャップ３１の後壁には、特に図示しないが、四本の光ファイバ２２を挿通させるための部分が形成されている。また、押圧部材押さえ用キャップ３１の後壁には、押圧部材３０が適宜手段で固定されている。押圧部材押さえ用キャップ３１の各側壁には、コネクタハウジング２６の係止突起３５に引っ掛かる凹状の係止部４４が形成されている。また、押圧部材押さえ用キャップ３１の各側壁上端には、コネクタハウジング２６のガイド突起３４を案内するためのガイド溝４５が形成されている。
【００４２】
上記他方の光コネクタ２５は、所謂プラグタイプの光コネクタであって、コネクタハウジング４６と、上記光ファイバ２２の端末に取り付けられてコネクタハウジング４６の内部に収容されるフェルール４７と、そのフェルール４７をコネクタ嵌合時において部材装着用台２７に対し押し付けるように作用する押圧部材４８と、押圧部材４８を取り付けてコネクタハウジング４６の後部に嵌合する押圧部材押さえ用キャップ４９とを備えて構成されている。
【００４３】
コネクタハウジング４６は、合成樹脂材料を用いて成形されており、長手方向に直行する方向の断面が略長方形状の中空空間となる矩形筒状に形成されている。また、コネクタハウジング４６は、上記一方の光コネクタ２４の上記嵌合空間に差し込まれるような形状に形成されている。コネクタハウジング４６の内部には、フェルール４７を収容するための収容空間が形成されている。コネクタハウジング４６の上面（上壁）には、上記一方の光コネクタ２４のアーム係止部３２に引っ掛かるロッキングアーム５０（ロック部）が形成されている。また、コネクタハウジング４６の上面には、上記一方の光コネクタ２４のガイド溝３３に案内されるガイド突起５１と、押圧部材押さえ用キャップ４９を案内するためのガイド突起５２とが形成されている。コネクタハウジング４６の側面（側壁）には、押圧部材押さえ用キャップ４９に対する係止突起５３が形成されている。
【００４４】
フェルール４７は、合成樹脂材料を用いて成形されており、図示のような略箱形状に形成されている。フェルール４７は、光ファイバ２２の先端を保持するとともに、上記一方の光コネクタ２４と他方の光コネクタ２５とが嵌合した際に、光ファイバ２２を光導波路部材２３の光導波路３６に光結合させるための部材であって、本形態においては、他方の光コネクタ２５に一本の光ファイバ２２を用いることから、その一本の光ファイバ２２を光導波路部材２３に対し光結合させることができるように形成されている（光ファイバ２２の数は一例であるものとする）。フェルール４７は、コネクタハウジング４６の後面側からその内部に収容されるように形成されている。
【００４５】
フェルール４７の前面は、フェルール当接面としての機能を有する部材装着用台２７の上記前壁に対して当接するように形成されている。このようなフェルール４７の前面には、部材装着用台２７のフェルール接続部４０に差し込まれる凸部５４が形成されている。その凸部５４は、一本の光ファイバ２２の端面を露出させる部分として形成されている。また、フェルール４７の前面には、孔状の被案内部（不図示。被案内部４３を参照）が形成されている。その被案内部は、部材装着用台２７に設けられる案内部４１により案内される部分として形成されている。フェルール４７の後面には、コネクタハウジング４６の後面に当接して位置決めがなされるストッパ５５が形成されている。フェルール４７の後面からは、光ファイバ２２が引き出されている。
【００４６】
押圧部材４８は、上記一方の光コネクタ２４の押圧部材３０と同様、フェルール４７を部材装着用台２７に対して押し付けるための部材であって、本形態においては板バネが用いられている（弾発力を生じさせることができれば他の部材でもよいものとする）。押圧部材４８からの作用を受けてフェルール４７は、常に部材装着用台２７のフェルール接続部４０に向けて押し付けられるようになっている。
【００４７】
押圧部材押さえ用キャップ４９は、合成樹脂材料を用いて成形されており、上記一方の光コネクタ２４の押圧部材押さえ用キャップ３１と同様に形成されている。押圧部材押さえ用キャップ４９は、押圧部材４８の位置を固定するための部材であって、コネクタハウジング４６の後部（後面側の外部に相当）に嵌合するように形成されている。
【００４８】
押圧部材押さえ用キャップ４９の後壁には、一本の光ファイバ２２を挿通させるための貫通孔５６が形成されている。また、押圧部材押さえ用キャップ４９の後壁には、押圧部材４８が適宜手段で固定されている。押圧部材押さえ用キャップ４９の各側壁には、コネクタハウジング４６の係止突起５３に引っ掛かる凹状の係止部５７が形成されている。また、押圧部材押さえ用キャップ４９の各側壁上端には、コネクタハウジング４６のガイド突起５２に案内されるガイド溝５８が形成されている。
【００４９】
上記構成に基づいて、一方の光コネクタ２４及び他方の光コネクタ２５の各組み付けと、本発明の光ジャンクションコネクタ２１の組み付けについてそれぞれ説明する。
【００５０】
先ず、図２及び図４を参照しながら一方の光コネクタ２４の組み付けについて説明する（一例であるものとする）。一方の光コネクタ２４の組み付けに係る第一工程では、案内部４１を設けた部材装着用台２７の装着部３８に光導波路部材２３を嵌め込みにより装着する作業を行う。第二工程では、光導波路部材２３の上に押さえ部材２８を装着する作業を行う。第三工程では、光導波路部材２３及び押さえ部材２８を装着した状態の部材装着用台２７をコネクタハウジング２６の後面側から差し込み第一収容空間に収容する作業を行う。
【００５１】
第四工程では、光ファイバ２２の端末に取り付けたフェルール２９をコネクタハウジング２６の後面側から差し込み第二収容空間に収容する作業を行う。フェルール２９は、案内部４１によりスムーズに、且つ位置ずれなく部材装着用台２７に向けて案内される。フェルール２９の前面が部材装着用台２７の後壁に当接するとともに、フェルール２９の凸部４２が部材装着用台２７のフェルール接続部３９に差し込まれると、光導波路部材２３の光導波路３６と光ファイバ２２との調心が行われる。第五工程では、予め押圧部材３０を固定した押圧部材押さえ用キャップ３１をコネクタハウジング２６の後部に嵌合させる作業を行う。押圧部材押さえ用キャップ３１がコネクタハウジング２６の後部に嵌合すると、押圧部材３０からの作用を受けて、光導波路３６と光ファイバ２２との間隙が最小に保たれる。以上の各工程を経ることにより、一方の光コネクタ２４の組み付けが完了する。
【００５２】
次に、図３及び図４を参照しながら他方の光コネクタ２５の組み付けについて説明する（一例であるものとする）。他方の光コネクタ２５の組み付けに係る第一工程では、光ファイバ２２の端末に取り付けたフェルール４７をコネクタハウジング４６の後面側から差し込み収容空間に収容する作業を行う。第二工程では、予め押圧部材４８を固定した押圧部材押さえ用キャップ４９をコネクタハウジング４６の後部に嵌合させる作業を行う。以上の各工程を経ることにより、他方の光コネクタ２５の組み付けが完了する。
【００５３】
続いて、図４及び図５を参照しながら本発明の光ジャンクションコネクタ２１の組み付けについて説明する。本発明の光ジャンクションコネクタ２１の組み付けに係る第一工程では、一方の光コネクタ２４と他方の光コネクタ２５とを対向するように配置する作業を行う。第二工程では、一方の光コネクタ２４の嵌合空間に他方の光コネクタ２５を差し込み、これら一方の光コネクタ２４及び他方の光コネクタ２５をアーム係止部３２とロッキングアーム５０との引っ掛かり合いにより嵌合させる作業を行う。
【００５４】
他方の光コネクタ２５は、案内部４１によりスムーズに、且つ位置ずれなく部材装着用台２７に向けて案内される。フェルール４７の前面が部材装着用台２７の前壁に当接するとともに、フェルール４７の凸部５４が部材装着用台２７のフェルール接続部４０に差し込まれると、光導波路部材２３の光導波路３６と光ファイバ２２との調心が行われる。以上の各工程を経ることにより、本発明の光ジャンクションコネクタ２１の組み付けが完了する。
【００５５】
以上、図１ないし図６を参照しながら説明してきたように、本発明の光ジャンクションコネクタ２１は、光学的な結合を一方の光コネクタ２４と他方の光コネクタ２５とで行うものであることから、従来例と比べて調心及び光結合を格段に容易にすることができる。また、従来例で用いていたような高価な装置を必要としないことから、安価に調心及び光結合をすることができる。
【００５６】
その他、本発明の光ジャンクションコネクタ２１は、嵌め込みによる組み付けであることから、従来よりも組み付けを容易にすることができる（従来例で用いていた接着剤が不要）。また、上記構成及び構造であることから、光導波路３６と光ファイバ２２との間隙を最小に保つことができる（光導波路３６と光ファイバ２２との接触を妨げて、振動等に起因する端面損傷を阻止することができる）。さらに、上記構成であることから、部品管理や組み付けを容易にすることができる。
【００５７】
本発明は本発明の主旨を変えない範囲で種々変更実施可能なことは勿論である。すなわち、上述では光導波路部材２３を一方の光コネクタ２４に設けるようにしていたが、これに限らず、他方の光コネクタ２５に設けるようにしてもよいものとする。
【００５８】
次に、図７ないし図１３を参照しながら、本発明の光ジャンクションコネクタの他の一実施の形態を説明する。図７は他の一実施の形態を示す分解斜視図である。また、図８は一方及び他方の光コネクタの嵌合前の状態を示す斜視図、図９は一方及び他方の光コネクタの嵌合前の状態を示す一部断面を含む斜視図、図１０は一方及び他方の光コネクタの嵌合状態を示す斜視図、図１１は光導波路部材を部材装着用台に取り付けた状態を示す斜視図、図１２は光導波路部材を押さえ付けた状態を示す一部断面を含む斜視図、図１３はコネクタハウジングの上下を反転させて断面にした状態を示す断面斜視図である。
【００５９】
図７ないし図１０において、引用符号６１は自動車内の光通信や、宅内・ビル内の光通信等に用いられる本発明の光ジャンクションコネクタを示している。その光ジャンクションコネクタ６１は、光ファイバ６２（例えばコア径が２００μｍ程度以上のもの）の各光通信経路の端部間に介在するものであって、光ファイバ６２により伝送される光信号の中継及び／又は光分波・光合波をすることができるように構成されている。具体的には、本発明の光ジャンクションコネクタ６１は、光導波路部材６３を有する一方の光コネクタ６４と、その一方の光コネクタ６４に嵌合する他方の光コネクタ６５とを備えて構成されている。以下、各構成部材について詳細に説明する。
【００６０】
上記一方の光コネクタ６４は、所謂レセプタクルタイプの光コネクタであって、コネクタハウジング６６と、そのコネクタハウジング６６の内部に収容される上記光導波路部材６３と、光導波路部材６３をコネクタハウジング６６の内部に収容するための部材装着用台６７と、上記光ファイバ６２の端末に取り付けられてコネクタハウジング６６の内部に収容されるフェルール６８と、そのフェルール６８を部材装着用台６７に対して押し付けるように作用する押圧部材６９と、押圧部材６９を押さえてコネクタハウジング６６の後部に嵌合する押圧部材押さえ用キャップ７０とを備えて構成されている。
【００６１】
図７ないし図１３において、コネクタハウジング６６は、合成樹脂材料を用いて成形されており、内部が中空空間となる筒状に形成されている。このようなコネクタハウジング６６の前面側の内部には、上記他方の光コネクタ６５を差し込むための嵌合空間が形成されている。また、コネクタハウジング６６の後面側の内部には、光導波路部材６３を取り付けた状態の部材装着用台６７を収容するための収容空間が形成されている。嵌合空間及び収容空間は、連続する空間として形成されている。
【００６２】
コネクタハウジング６６の前面側には、上記他方の光コネクタ６５の後述するロッキングアーム８４を引っ掛けるためのアーム係止部７１（ロック部）が形成されている。そのアーム係止部７１は、コネクタハウジング６６の側面（側壁）に形成されている。上記嵌合空間には、特に符号を付さないが、上記他方の光コネクタ６５を案内するためのガイド溝が複数形成されている。
【００６３】
コネクタハウジング６６の後面側には、部材装着用台６７に対するストッパ７２と、押圧部材押さえ用キャップ７０に対する係止突起７３とが形成されている。そのストッパ７２及び係止突起７３は、コネクタハウジング６６の両側面（両側壁）に形成されており、コネクタハウジング６６の長手方向に並ぶように配置されている。
【００６４】
コネクタハウジング６６の内部には、部材装着用台６７に取り付けた光導波路部材６３を押さえ付けるための押さえ付け片７４（押さえ付け部）が形成されている。その押さえ付け片７４は、弾性変形可能な片持ち形状の片であって、上記収容空間に突出するように形成されている。押さえ付け片７４を形成することによって、部材装着用台６７における光導波路部材６３の位置が安定するという利点を有する。
【００６５】
光導波路部材６３は、本形態において、平面視矩形状となる板状の部材（チップ状の部材）であって、中継用（光分波、光合波用であってもよいものとする）の複数の光導波路（図示省略）と、その複数の光導波路が配索される基板部（図示省略）とを備えて構成されている。光導波路は、所望の経路で基板部に配索されている。その基板部は、光導波路よりも屈折率の低いアンダークラッドとオーバークラッドとを備えて構成されている。光導波路の端面（端部）は、光導波路部材６３の端面（端部）から露出するように配置形成されている。
【００６６】
ここで、光導波路部材６３の製造方法について一例を挙げて説明する。光導波路部材６３は、以下の第一工程〜第三工程を順に経て製造される（光導波路部材６３の製造方法や形態は特に限定しないものとする。上述の光導波路部材２３の製造方法を用いて製造しても当然によいものとする）。
【００６７】
第一工程では、光導波路を形成するための溝、すなわち光導波路溝を有する板状のアンダークラッドを成形する作業を行う。そのアンダークラッドは、コア材料（アクリル系ＵＶ硬化樹脂：ＮＯＲＬＡＮＤ製ＮＯＡ６１ｎ＝１．５６、アクリル系ＵＶ硬化樹脂：ＮＯＲＬＡＮＤ製ＮＯＡ６８ｎ＝１．５４、エポキシ系ＵＶ硬化樹脂：ＥＭＩ製ＯＰＴＯＣＡＳＴ３５０６ｎ＝１．５６など。一例であるものとする）よりも屈折率が低い合成樹脂材料（ＰＭＭＡ：三菱レイヨン製のアクリペットｎ＝１．４９、ＰＰ：三井住友化学製の三井住友ポリプロｎ＝１．４９など。一例であるものとする）で成形されている。
【００６８】
第二工程では、光導波路溝にコア材を充填する作業を行う。コア材は、上記コア材料であって光導波路溝の開口縁部まで充填される。光導波路溝に充填されたコア材が硬化すると、光導波路溝には光導波路が成形される。
【００６９】
第三工程では、光導波路及びアンダークラッドの上に、オーバークラッドの層を成形する作業を行う。そのオーバークラッドの層は、コア材よりも屈折率が低い合成樹脂材料（アクリル系ＵＶ硬化樹脂：ＮＯＲＬＡＮＤ製ＮＯＡ６５ｎ＝１．５２、アクリル系ＵＶ硬化樹脂：協立化学産業製ＸＶＬ−９０ｎ＝１．５２、エポキシ系ＵＶ硬化樹脂：ＥＭＩ製ＯＰＴＯＣＡＳＴ３５０５ｎ＝１．５２など。一例であるものとする）で成形されている。
【００７０】
部材装着用台６７は、合成樹脂材料を用いて成形されており、上面側を開口した浅底の略箱形状の装着部７５を有している。装着部７５は、光導波路部材６３を装着するための凹部であって、平面視矩形状に形成されている。光導波路部材６３は、本形態において、装着部７５に対して上方からの嵌め込み式でガタツキなく位置合わせされた状態で装着されるようになっている。部材装着用台６７は、光導波路部材６３を装着した状態でコネクタハウジング６６の上記収容空間に収容されるように形成されている。
【００７１】
部材装着用台６７には、光導波路部材６３を装着するための装着部７５の他に、フェルール接続部７６、７７と、挿入位置決め突起７８とが形成されている。フェルール接続部７６は、フェルール６８を案内して、そのフェルール６８と光導波路部材６３との光学的な接続を行えるような形状に形成されている。具体的には、部材装着用台６７の後面から部材装着用台６７の長手方向に沿って装着部７５まで貫通する孔形状に形成されている。フェルール接続部７６は、フェルール６８の形状に合わせて形成されている。フェルール接続部７６には、特に図示しないが、フェルール６８の挿入深さを規制するための段部（フェルール当接面として機能する）が形成されている。
【００７２】
フェルール接続部７７は、上記他方の光コネクタ６５の後述するフェルール８１を案内して、そのフェルール８１と光導波路部材６３との光学的な接続を行えるような形状に形成されている。具体的には、装着部７５まで貫通する円筒形状の部分を部材装着用台６７の前面に形成してなっている。フェルール接続部７７は、後述するフェルール８１の形状に合わせて形成されている。フェルール接続部７７の端面（円筒形状の部分の端面）は、後述するフェルール８１の挿入深さを規制するフェルール当接面としての機能を有している。
【００７３】
挿入位置決め突起７８は、コネクタハウジング６６の上記収容空間に収容される部材装着用台６７の挿入深さを規制する突起であって、部材装着用台６７の両側面に形成されている。挿入位置決め突起７８は、コネクタハウジング６６のストッパ７２に当接するように配置形成されている。部材装着用台６７は、上記収容空間に収容され、その時に挿入位置決め突起７８がストッパ７２に当接すると、位置決めがなされるようになっている。
【００７４】
フェルール６８は、本形態において、合成樹脂材料を用いて成形されており、略円筒形状の小径部及び大径部を有している。フェルール６８の小径部には、光ファイバ６２の素線部分が収容され、また、大径部には、光ファイバ６２の被覆部分が収容されるようになっている。フェルール６８と光ファイバ６２は、接着剤等で固着されている。フェルール６８は、光ファイバ６２の端末から脱落しないように固定されている。フェルール６８の大径部には、所定の間隔を開けて一対の鍔状のフランジが周設されている。そのフランジは、部材装着用台６７のフェルール接続部７６のフェルール当接面として機能する部分（上記段部）に当接するようになっている。フェルール６８は、特に限定するものではないが、本形態において既知構造のものが用いられている。
【００７５】
押圧部材６９は、所定の弾発力を有するコイルスプリングであって、光ファイバ６２の端末にフェルール６８を固着する前に光ファイバ６２に差し込んで取り付けられている。押圧部材６９は、フェルール６８の上記フランジと上記押圧部材押さえ用キャップ７０との間に挟まれるようになっている。また、押圧部材６９は、フェルール６８を部材装着用台６７に対して押し付けるようになっている。押圧部材６９からの作用を受けてフェルール６８は、常に部材装着用台６７のフェルール接続部７６に向けて押し付けられるようになっている。
【００７６】
押圧部材押さえ用キャップ７０は、合成樹脂材料を用いて成形されている。具体的に、押圧部材押さえ用キャップ７０は、上壁及び下壁と、左右両側壁と、後壁とを有しており、図示のような前面が解放された細長い箱形状に形成されている。押圧部材押さえ用キャップ７０は、押圧部材６９の位置を固定するための部材であって、その前部がコネクタハウジング６６の後部に嵌合するように形成されている。押圧部材押さえ用キャップ７０の後壁には、特に図示しないが、光ファイバ６２を挿通するための貫通孔（又はスリット）が形成されている。尚、貫通孔の周縁に押圧部材６９の端部が当接するようになっている。押圧部材押さえ用キャップ７０の各側壁には、コネクタハウジング６６の係止突起７３に引っ掛かる凹状の係止部７９が形成されている。
【００７７】
上記他方の光コネクタ６５は、所謂プラグタイプの光コネクタであって、コネクタハウジング８０と、上記光ファイバ６２の端末に取り付けられてコネクタハウジング８０の内部に収容されるフェルール８１と、そのフェルール８１のコネクタハウジング８０からの脱落を規制するフェルール止めピン８２とを備えて構成されている。
【００７８】
コネクタハウジング８０は、合成樹脂材料を用いて成形されており、上記一方の光コネクタ６４の上記嵌合空間に差し込まれるような形状に形成されている。コネクタハウジング８０の内部には、フェルール８１を収容するための収容空間８３が形成されている。コネクタハウジング８０の側面（側壁）には、上記一方の光コネクタ６４のアーム係止部７１に引っ掛かるロッキングアーム８４（ロック部）が形成されている。また、コネクタハウジング８０の上面（上壁）には、フェルール止めピン８２を差し込んで係止するための差し込み係止部８５が形成されている。その差し込み係止部８５は、フェルール８１を収容するための収容空間８３に連通するように形成されている。
【００７９】
フェルール８１は、上記フェルール６８と同じものが用いられている。従って、ここでは説明を省略するものとする。
【００８０】
フェルール止めピン８２は、差し込み係止部８５に差し込まれて係止された後、収容空間８３に収容されたフェルール８１の上記フランジに引っ掛かってそのフェルール８１の脱落を規制することができるように形成されている。フェルール８１は、その先端をコネクタハウジング８０の前面側から臨むことができるように収容空間８３に収容されている。
【００８１】
上記構成に基づいて、一方の光コネクタ６４及び他方の光コネクタ６５の各組み付けと、本発明の光ジャンクションコネクタ６１の組み付けについてそれぞれ説明する。
【００８２】
先ず、一方の光コネクタ６４の組み付けについて説明する（一例であるものとする）。一方の光コネクタ６４の組み付けに係る第一工程では、部材装着用台６７の装着部７５に光導波路部材６３を装着する作業を行う。光導波路部材６３は、装着部７５の上方から嵌め込むようにして装着する。
【００８３】
第二工程では、光導波路部材６３を装着した状態の部材装着用台６７をコネクタハウジング６６の後面側からコネクタハウジング６６の収容空間に差し込んで収容する作業を行う。部材装着用台６７の挿入位置決め突起７８がコネクタハウジング６６のストッパ７２に当接するまで部材装着用台６７をコネクタハウジング６６の収容空間に収容すると、フェルール接続部７７の端面（円筒形状の部分の端面）側がコネクタハウジング６６の嵌合空間に突出する。光導波路部材６３は、コネクタハウジング６６の収容空間に突出する押さえ付け片７４によって押さえ付けられる。そして、押さえ付け片７４によって押さえ付けられると、光導波路部材６３は、部材装着用台６７における位置が安定する。
【００８４】
第三工程では、部材装着用台６７のフェルール接続部７６にフェルール６８を挿入する作業を行うとともに、押圧部材押さえ用キャップ７０をコネクタハウジング６６の係止突起７２に引っ掛けて係止する作業を行う。押圧部材６９がフェルール６８の上記フランジと押圧部材押さえ用キャップ７０との間に挟まれて縮むと、その押圧部材６９からの作用を受けてフェルール６８は、部材装着用台６７のフェルール接続部７６に向けて押し付けられる。部材装着用台６７の中間から後部にかけては、押圧部材押さえ用キャップ７０によって収容される。以上の各工程を経ることにより、一方の光コネクタ６４の組み付けが完了する。
【００８５】
次に、他方の光コネクタ６５の組み付けについて説明する（一例であるものとする）。他方の光コネクタ６５の組み付けに係る第一工程では、光ファイバ６２の端末に取り付けたフェルール８１をコネクタハウジング８０の後面側から差し込み、収容空間８３に収容する作業を行う。第二工程では、フェルール止めピン８２をコネクタハウジング８０の差し込み係止部８５に差し込む作業を行う。フェルール止めピン８２が差し込み係止部８５に係止されると、フェルール８１は収容空間８３からの脱落が阻止される。以上の各工程を経ることにより、他方の光コネクタ６５の組み付けが完了する。
【００８６】
続いて、本発明の光ジャンクションコネクタ６１の組み付けについて説明する。本発明の光ジャンクションコネクタ６１の組み付けに係る第一工程では、一方の光コネクタ６４と他方の光コネクタ６５とを対向するように配置する作業を行う。第二工程では、一方の光コネクタ６４の嵌合空間に他方の光コネクタ６５を差し込み、これら一方の光コネクタ６４及び他方の光コネクタ６５をアーム係止部７１とロッキングアーム８４との引っ掛かり合いにより嵌合させる作業を行う。
【００８７】
他方の光コネクタ６５は、一方の光コネクタ６４のガイド溝によりスムーズに、且つ位置ずれなく部材装着用台６７に向けて案内される。他方の光コネクタ６５のフェルール８１が部材装着用台６７のフェルール接続部７７に差し込まれると、光導波路部材６３の光導波路（図示省略）と光ファイバ６２との調心が行われる。以上の各工程を経ることにより、本発明の光ジャンクションコネクタ６１の組み付けが完了する。
【００８８】
以上、図７ないし図１３を参照しながら説明してきたように、本発明の光ジャンクションコネクタ６１は、光学的な結合を一方の光コネクタ６４と他方の光コネクタ６５とで行うものであることから、従来例と比べて調心及び光結合を格段に容易にすることができる。また、従来例で用いていたような高価な装置を必要としないことから、安価に調心及び光結合をすることができる。
【００８９】
本発明の光ジャンクションコネクタ６１は、嵌め込みによる組み付けであることから、従来よりも組み付けを容易にすることができる（従来例で用いていた接着剤が不要）。また、上記構成及び構造であることから、光導波路と光ファイバ６２との間隙を最小に保つことができる（光導波路と光ファイバ６２との接触を妨げて、振動等に起因する端面損傷を阻止することができる）。さらに、上記構成であることから、部品管理や組み付けを容易にすることができる。
【００９０】
その他、本発明は本発明の主旨を変えない範囲で種々変更実施可能なことは勿論である。
【００９１】
ここで、光ジャンクションコネクタ６１における光導波路部材６３の押さえ付けの他の例を説明する。光導波路部材６３は、コネクタハウジング６６の収容空間に突出する押さえ付け片７４に限らず、次のようなもので押さえ付けや位置合わせをすることが可能であるものとする。尚、材質は合成樹脂材料、金属のいずれであってもよいものとする。
【００９２】
図１４ないし図１８において、光導波路部材６３は、押さえ部材８６によって押さえ付けられている。その押さえ部材８６は、コ字状であって、光導波路部材６３及び部材装着用台６７を抱え込むことができるように形成されている。部材装着用台６７には、押さえ部材８６を係止する係止用凹部８７が形成されている。押さえ部材８６には、光導波路部材６３を押さえ付ける押さえ付け片７４が形成されている。
【００９３】
図１９ないし図２１において、光導波路部材６３は、部材装着用台６７に形成された押さえ部８８によって押さえ付けられている。その押さえ部８８は、所謂係止突起であって、装着部７５の開口縁部に一体に形成されている。
【００９４】
図２２ないし図２５において、光導波路部材６３は、押さえ部材８９によって押さえ付けられている。その押さえ部材８９は、略くさび状であって、部材装着用台６７の貫通孔９０に差し込まれると光導波路部材６３のエッジ部分を押さえ付けることができるように形成されている。
【００９５】
図２６ないし図３０において、光導波路部材６３は、押さえ部材９１によって押さえ付けられている。その押さえ部材９１は、図示のような形状の板バネであって、一端が部材装着用台６７の差し込み保持穴９２に差し込まれて保持されるように形成されている。また、他端が光導波路部材６３を押さえ付けることができるように形成されている。
【００９６】
図３１ないし図３４において、光導波路部材６３は、押さえ部材９３、９４によって押さえ付けられている。その押さえ部材９３、９４は、それぞれ長さの異なる図示のような細長い形状の板バネであって、一端が部材装着用台６７の差し込み保持穴９５に差し込まれて保持されるように形成されている。また、他端が光導波路部材６３を押さえ付けることができるように形成されている。
【００９７】
図３５ないし図３８において、光導波路部材６３は、押さえ部材９６によって押さえ付けられている。その押さえ部材９６は、図示のような幅の広い形状の板バネであって、一端が部材装着用台６７の差し込み保持穴９７に差し込まれて保持されるように形成されている。また、他端が光導波路部材６３を押さえ付けることができるように形成されている。
【００９８】
図３９ないし図４２において、光導波路部材６３は、押さえ部材９８によって押さえ付けられている。その押さえ部材９８は、コ字状であって、光導波路部材６３及び部材装着用台６７を抱え込むことができるように形成されている。部材装着用台６７には、押さえ部材８６を係止する係止用凹部９９が形成されている。押さえ部材９８は、一対の脚部１００によって光導波路部材６３を押さえ付けることができるように形成されている。
【００９９】
続いて、図４３ないし図５０を参照しながら、本発明の光ジャンクションコネクタの更に他の一実施の形態を説明する。図４３は更に他の一実施の形態を示す分解斜視図である。また、図４４は一方及び他方の光コネクタの嵌合前の状態を示す斜視図、図４５は一方及び他方の光コネクタの嵌合前の状態を示す一部断面を含む斜視図、図４６は一方及び他方の光コネクタの嵌合状態を示す斜視図、図４７は光導波路部材を部材装着用台に取り付けた状態を示す斜視図、図４８、４９は光導波路部材を押さえ付けた状態を示す一部断面を含む斜視図、図５０はコネクタハウジングの断面斜視図である。
【０１００】
尚、上述の光ジャンクションコネクタ６１の構成部材と基本的に同じ部材には同一の符号を付して詳細な説明を省略する。
【０１０１】
図４３ないし図４６において、引用符号１０１は自動車内の光通信や、宅内・ビル内の光通信等に用いられる本発明の光ジャンクションコネクタを示している。その光ジャンクションコネクタ１０１は、光ファイバ６２（例えばコア径が２００μｍ程度以上のもの）の各光通信経路の端部間に介在するものであって、光ファイバ６２により伝送される光信号の中継及び／又は光分波・光合波をすることができるように構成されている。具体的には、本発明の光ジャンクションコネクタ１０１は、光導波路部材６３を有する一方の光コネクタ１０２と、その一方の光コネクタ１０２に嵌合する他方の光コネクタ６５とを備えて成されている。以下、一方の光コネクタ１０２について詳細に説明する。
【０１０２】
一方の光コネクタ１０２は、所謂レセプタクルタイプの光コネクタであって、コネクタハウジング１０３と、そのコネクタハウジング１０３の内部に収容される上記光導波路部材６３と、光導波路部材６３をコネクタハウジング１０３の内部に収容するための部材装着用台１０４と、上記光ファイバ６２の端末に取り付けられてコネクタハウジング１０３の内部に収容されるフェルール６８と、そのフェルール６８を部材装着用台１０４に対して押し付けるように作用する押圧部材６９と、押圧部材６９を押さえてコネクタハウジング１０３の後部に嵌合する押圧部材押さえ用キャップ７０とを備えて構成されている。
【０１０３】
図４３ないし図５０において、コネクタハウジング１０３は、合成樹脂材料を用いて成形されており、内部が中空空間となる筒状に形成されている。このようなコネクタハウジング１０３の前面側の内部には、他方の光コネクタ６５を差し込むための嵌合空間が形成されている。また、コネクタハウジング１０３の後面側の内部には、光導波路部材６３を取り付けた状態の部材装着用台１０４を収容するための収容空間が形成されている。嵌合空間及び収容空間は、連続する空間として形成されている。
【０１０４】
コネクタハウジング１０３の前面側には、他方の光コネクタ６５のロッキングアーム８４を引っ掛けるためのアーム係止部７１（ロック部）が形成されている。そのアーム係止部７１は、コネクタハウジング１０３の側面（側壁）に形成されている。上記嵌合空間には、特に符号を付さないが、他方の光コネクタ６５を案内するためのガイド溝が複数形成されている。
【０１０５】
コネクタハウジング１０３の後面側には、部材装着用台１０４に対するストッパ７２と、押圧部材押さえ用キャップ７０に対する係止突起７３とが形成されている。そのストッパ７２及び係止突起７３は、コネクタハウジング１０３の両側面（両側壁）に形成されており、コネクタハウジング１０３の長手方向に並ぶように配置されている（ストッパ７２は、本形態において二つあるが、その一方のみが用いられる（本形態の部材装着用台１０４の挿入位置決め突起７８が一つであるため））。
【０１０６】
コネクタハウジング１０３の内部には、部材装着用台１０４に取り付けた光導波路部材６３を押さえ付けるための押さえ付け片７４（押さえ付け部）が形成されている。その押さえ付け片７４は、弾性変形可能な片持ち形状の片であって、上記収容空間に突出するように形成されている。押さえ付け片７４は、上述の形態と異なり、側部に形成されている。押さえ付け片７４を形成することによって、部材装着用台１０４における光導波路部材６３の位置が安定するという利点を有する。
【０１０７】
部材装着用台１０４は、合成樹脂材料を用いて成形されており、一方の側面側を開口して形成したスリット形状の装着部７５を有している。装着部７５は、光導波路部材６３を装着するために形成されている。光導波路部材６３は、本形態において、装着部７５に対して側方からの嵌め込み式でガタツキなく位置合わせされた状態で装着されるようになっている。部材装着用台１０４は、光導波路部材６３を装着した状態でコネクタハウジング１０３の上記収容空間に収容されるように形成されている。
【０１０８】
部材装着用台１０４には、光導波路部材６３を装着するための装着部７５の他に、フェルール接続部７６、７７と、挿入位置決め突起７８とが形成されている。フェルール接続部７６は、フェルール６８を案内して、そのフェルール６８と光導波路部材６３との光学的な接続を行えるような形状に形成されている。具体的には、部材装着用台６７の後面から部材装着用台１０４の長手方向に沿って装着部７５まで貫通する孔形状に形成されている。フェルール接続部７６は、フェルール６８の形状に合わせて形成されている。フェルール接続部７６には、特に図示しないが、フェルール６８の挿入深さを規制するための段部（フェルール当接面として機能する）が形成されている。
【０１０９】
フェルール接続部７７は、他方の光コネクタ６５のフェルール８１を案内して、そのフェルール８１と光導波路部材６３との光学的な接続を行えるような形状に形成されている。具体的には、装着部７５まで貫通する円筒形状の部分を部材装着用台１０４の前面に形成してなっている。フェルール接続部７７は、フェルール８１の形状に合わせて形成されている。フェルール接続部７７の端面（円筒形状の部分の端面）は、フェルール８１の挿入深さを規制するフェルール当接面としての機能を有している。
【０１１０】
挿入位置決め突起７８は、コネクタハウジング１０３の上記収容空間に収容される部材装着用台１０４の挿入深さを規制する突起であって、部材装着用台１０４の他方の側面に形成されている（装着部７５が開口しない側の側面に形成されている）。挿入位置決め突起７８は、コネクタハウジング１０３のストッパ７２に当接するように配置形成されている。部材装着用台１０４は、上記収容空間に収容され、その時に挿入位置決め突起７８がストッパ７２に当接すると、位置決めがなされるようになっている。
【０１１１】
上記構成に基づいて、一方の光コネクタ１０２の組み付けと、本発明の光ジャンクションコネクタ１０１の組み付けについてそれぞれ説明する。
【０１１２】
先ず、一方の光コネクタ１０２の組み付けについて説明する（一例であるものとする）。一方の光コネクタ１０２の組み付けに係る第一工程では、部材装着用台１０４の装着部７５に光導波路部材６３を装着する作業を行う。光導波路部材６３は、装着部７５の側方から差し込んで嵌め込むような状態で装着する。
【０１１３】
第二工程では、光導波路部材６３を装着した状態の部材装着用台１０４をコネクタハウジング１０３の後面側からコネクタハウジング１０３の収容空間に差し込んで収容する作業を行う。部材装着用台１０４の挿入位置決め突起７８がコネクタハウジング１０３のストッパ７２に当接するまで部材装着用台１０４をコネクタハウジング１０３の収容空間に収容すると、フェルール接続部７７の端面（円筒形状の部分の端面）側がコネクタハウジング１０３の嵌合空間に突出する。光導波路部材６３は、コネクタハウジング１０３の収容空間に突出する押さえ付け片７４によって押さえ付けられる。そして、押さえ付け片７４によって押さえ付けられると、光導波路部材６３は、部材装着用台１０４における位置が安定する。
【０１１４】
第三工程では、部材装着用台１０４のフェルール接続部７６にフェルール６８を挿入する作業を行うとともに、押圧部材押さえ用キャップ７０をコネクタハウジング１０３の係止突起７２に引っ掛けて係止する作業を行う。押圧部材６９がフェルール６８のフランジと押圧部材押さえ用キャップ７０との間に挟まれて縮むと、その押圧部材６９からの作用を受けてフェルール６８は、部材装着用台１０４のフェルール接続部７６に向けて押し付けられる。部材装着用台１０４の中間から後部にかけては、押圧部材押さえ用キャップ７０によって収容される。以上の各工程を経ることにより、一方の光コネクタ１０２の組み付けが完了する。
【０１１５】
次に、本発明の光ジャンクションコネクタ１０１の組み付けについて説明する。本発明の光ジャンクションコネクタ１０１の組み付けに係る第一工程では、一方の光コネクタ１０２と他方の光コネクタ６５とを対向するように配置する作業を行う。第二工程では、一方の光コネクタ１０２の嵌合空間に他方の光コネクタ６５を差し込み、これら一方の光コネクタ１０２及び他方の光コネクタ６５をアーム係止部７１とロッキングアーム８４との引っ掛かり合いにより嵌合させる作業を行う。
【０１１６】
他方の光コネクタ６５は、一方の光コネクタ１０２のガイド溝によりスムーズに、且つ位置ずれなく部材装着用台１０４に向けて案内される。他方の光コネクタ６５のフェルール８１が部材装着用台１０４のフェルール接続部７７に差し込まれると、光導波路部材６３の光導波路（図示省略）と光ファイバ６２との調心が行われる。以上の各工程を経ることにより、本発明の光ジャンクションコネクタ１０１の組み付けが完了する。
【０１１７】
以上、図４３ないし図５０を参照しながら説明してきたように、本発明の光ジャンクションコネクタ１０１は、光学的な結合を一方の光コネクタ１０２と他方の光コネクタ６５とで行うものであることから、従来例と比べて調心及び光結合を格段に容易にすることができる。また、従来例で用いていたような高価な装置を必要としないことから、安価に調心及び光結合をすることができる。
【０１１８】
本発明の光ジャンクションコネクタ１０１は、嵌め込みによる組み付けであることから、従来よりも組み付けを容易にすることができる（従来例で用いていた接着剤が不要）。また、上記構成及び構造であることから、光導波路と光ファイバ６２との間隙を最小に保つことができる（光導波路と光ファイバ６２との接触を妨げて、振動等に起因する端面損傷を阻止することができる）。さらに、上記構成であることから、部品管理や組み付けを容易にすることができる。
【０１１９】
その他、本発明は本発明の主旨を変えない範囲で種々変更実施可能なことは勿論である。
【０１２０】
ここで、光ジャンクションコネクタ１０１における光導波路部材６３の押さえ付けの他の例を説明する。光導波路部材６３は、コネクタハウジング１０３の収容空間に突出する押さえ付け片７４に限らず、次のようなもので押さえ付けや位置合わせをすることが可能であるものとする。尚、材質は合成樹脂材料、金属のいずれであってもよいものとする。
【０１２１】
図５１ないし図５４において、光導波路部材６３は、押さえ部材１０５によって押さえ付けられている。その押さえ部材１０５は、コ字状であって、光導波路部材６３及び部材装着用台１０４を抱え込むことができるように形成されている。部材装着用台１０４には、押さえ部材１０５を係止する係止用凹部１０６が形成されている。押さえ部材１０５は、一対の脚部１０７によって光導波路部材６３を押さえ付けることができるように形成されている。
【０１２２】
図５５ないし図５９において、光導波路部材６３は、押さえ部材１０８によって押さえ付けられている。その押さえ部材１０８は、略くさび状であって、部材装着用台１０４の貫通孔１０９に差し込まれると光導波路部材６３のエッジ部分を押さえ付けることができるように形成されている。
【０１２３】
図６０ないし図６３において、光導波路部材６３は、押さえ部材１１０によって押さえ付けられている。その押さえ部材１１０は、図示のような形状の板バネであって、一端が部材装着用台１０４の差し込み保持穴１１１に差し込まれて保持されるように形成されている。また、他端が光導波路部材６３を押さえ付けることができるように形成されている。
【０１２４】
図６４ないし図６８において、光導波路部材６３は、押さえ部材１１２によって押さえ付けられている。その押さえ部材１１２は、コ字状であって、光導波路部材６３及び部材装着用台１０４を抱え込むことができるように形成されている。部材装着用台１０４には、押さえ部材１１２を係止する係止用凹部１１３が形成されている。押さえ部材１１２には、光導波路部材６３を押さえ付ける押さえ付け片７４が形成されている。
【０１２５】
光ジャンクションコネクタ６１、１０１における光導波路部材６３の押さえ付け（保持）について、その特徴を以下にまとめる。
【０１２６】
（１）ロック部を用いて相嵌合する一方の光コネクタと他方の光コネクタとを備え、該一方の光コネクタのコネクタハウジング内には、光ファイバを介して伝送される光信号の中継及び／又は光分波・光合波をするための光導波路を有する光導波路部材を設けた光ジャンクションコネクタにおける前記光導波路部材の保持構造であって、
前記光導波路部材を取り付けた状態で前記コネクタハウジング内に収容される部材装着用台を設け、該部材装着用台には前記一方及び他方の光コネクタの各フェルールが挿抜自在に接続されるフェルール接続部を形成した光ジャンクションコネクタにおける前記光導波路部材の保持構造において、
前記部材装着用台に取り付けた前記光導波路部材を押さえ付けるための押さえ付け部（押さえ付け片、係止突起）を前記コネクタハウジング又は前記部材装着用台に一体に設けた
ことを特徴とする光ジャンクションコネクタにおける光導波路部材の保持構造。
【０１２７】
（２）ロック部を用いて相嵌合する一方の光コネクタと他方の光コネクタとを備え、該一方の光コネクタのコネクタハウジング内には、光ファイバを介して伝送される光信号の中継及び／又は光分波・光合波をするための光導波路を有する光導波路部材を設けた光ジャンクションコネクタにおける前記光導波路部材の保持構造であって、
前記光導波路部材を取り付けた状態で前記コネクタハウジング内に収容される部材装着用台を設け、該部材装着用台には前記一方及び他方の光コネクタの各フェルールが挿抜自在に接続されるフェルール接続部を形成した光ジャンクションコネクタにおける前記光導波路部材の保持構造において、
前記部材装着用台に取り付けた前記光導波路部材を押さえ付けるための押さえ部材を設け、該押さえ部材を前記光導波路部材及び前記部材装着用台を抱え込むコ字状の形状に形成した
ことを特徴とする光ジャンクションコネクタにおける光導波路部材の保持構造。
【０１２８】
（３）ロック部を用いて相嵌合する一方の光コネクタと他方の光コネクタとを備え、該一方の光コネクタのコネクタハウジング内には、光ファイバを介して伝送される光信号の中継及び／又は光分波・光合波をするための光導波路を有する光導波路部材を設けた光ジャンクションコネクタにおける前記光導波路部材の保持構造であって、
前記光導波路部材を取り付けた状態で前記コネクタハウジング内に収容される部材装着用台を設け、該部材装着用台には前記一方及び他方の光コネクタの各フェルールが挿抜自在に接続されるフェルール接続部を形成した光ジャンクションコネクタにおける前記光導波路部材の保持構造において、
前記部材装着用台に取り付けた前記光導波路部材を押さえ付けるための板バネ形状の押さえ部材を設け、該押さえ部材の一端側を部材装着用台の差し込み保持穴に差し込んで保持するとともに、前記押さえ部材の他端側で前記光導波路部材を押さえ付けるようにした
ことを特徴とする光ジャンクションコネクタにおける光導波路部材の保持構造。
【０１２９】
（４）ロック部を用いて相嵌合する一方の光コネクタと他方の光コネクタとを備え、該一方の光コネクタのコネクタハウジング内には、光ファイバを介して伝送される光信号の中継及び／又は光分波・光合波をするための光導波路を有する光導波路部材を設けた光ジャンクションコネクタにおける前記光導波路部材の保持構造であって、
前記光導波路部材を取り付けた状態で前記コネクタハウジング内に収容される部材装着用台を設け、該部材装着用台には前記一方及び他方の光コネクタの各フェルールが挿抜自在に接続されるフェルール接続部を形成した光ジャンクションコネクタにおける前記光導波路部材の保持構造において、
前記部材装着用台に取り付けた前記光導波路部材を押さえ付けるための略くさび形状の押さえ部材を設け、該押さえ部材の一端側を部材装着用台の貫通孔に差し込んで保持するとともに、前記押さえ部材の他端側で前記光導波路部材のエッジ部分を押さえ付けるようにした
ことを特徴とする光ジャンクションコネクタにおける光導波路部材の保持構造。
【０１３０】
上記（１）〜（４）の特徴は、上述の光ジャンクションコネクタ２１の押さえ部材２８よりも、押さえ部材としての形状の安定性や取り扱い性を向上させることができるという利点を有する。すなわち、押さえ部材２８は、ゴムや発泡樹脂やゲルなどで形成されていることから、押さえ部材としての形状の安定性や取り扱い性が不十分になる恐れがある。光ジャンクションコネクタ６１、１０１で説明した押さえ部材、押さえ付け片（押さえ付け部）は、言い換えれば、上記（１）〜（４）の特徴は、このような問題点を解消することができる。
【図面の簡単な説明】
【０１３１】
【図１】本発明の光ジャンクションコネクタの一実施の形態を示す分解斜視図である。
【図２】一方の光コネクタの分解斜視図である。
【図３】他方の光コネクタの分解斜視図である。
【図４】一方及び他方の光コネクタの嵌合前の状態を示す斜視図である。
【図５】一方及び他方の光コネクタの嵌合状態を示す斜視図である。
【図６】光導波路部材の斜視図である。
【図７】本発明の光ジャンクションコネクタの他の一実施の形態を示す分解斜視図である。
【図８】一方及び他方の光コネクタの嵌合前の状態を示す斜視図である。
【図９】一方及び他方の光コネクタの嵌合前の状態を示す一部断面を含む斜視図である。
【図１０】一方及び他方の光コネクタの嵌合状態を示す斜視図である。
【図１１】光導波路部材を部材装着用台に取り付けた状態を示す斜視図である。
【図１２】光導波路部材を押さえ付けた状態を示す一部断面を含む斜視図である。
【図１３】コネクタハウジングの上下を反転させて断面にした状態を示す断面斜視図である。
【図１４】光導波路部材の押さえ付けに係る他の例を示す図であり、光導波路部材を部材装着用台に取り付けた状態を示す斜視図である。
【図１５】図１４の要部断面図である。
【図１６】図１４の縦断面図である。
【図１７】図１４の部材装着用台の斜視図である。
【図１８】図１４の押さえ部材の斜視図である。
【図１９】光導波路部材の押さえ付けに係る他の例を示す図であり、光導波路部材を部材装着用台に取り付けた状態を示す斜視図である。
【図２０】図１９の要部断面図である。
【図２１】図１９の部材装着用台の斜視図である。
【図２２】光導波路部材の押さえ付けに係る他の例を示す図であり、光導波路部材を部材装着用台に取り付けた状態を示す斜視図である。
【図２３】図２２の要部断面図である。
【図２４】図２２の部材装着用台の斜視図である。
【図２５】図２２の押さえ部材の斜視図である。
【図２６】光導波路部材の押さえ付けに係る他の例を示す図であり、光導波路部材を部材装着用台に取り付けた状態を示す斜視図である。
【図２７】図２６に対する側面図である。
【図２８】図２６の要部断面図である。
【図２９】図２６の部材装着用台の斜視図である。
【図３０】図２６の押さえ部材の斜視図である。
【図３１】光導波路部材の押さえ付けに係る他の例を示す図であり、光導波路部材を部材装着用台に取り付けた状態を示す斜視図である。
【図３２】図３１の要部断面図である。
【図３３】図３１の部材装着用台の斜視図である。
【図３４】（ａ）、（ｂ）は図３１の押さえ部材の斜視図である。
【図３５】光導波路部材の押さえ付けに係る他の例を示す図であり、光導波路部材を部材装着用台に取り付けた状態を示す斜視図である。
【図３６】図３５の要部断面図である。
【図３７】図３５の部材装着用台の斜視図である。
【図３８】図３５の押さえ部材の斜視図である。
【図３９】光導波路部材の押さえ付けに係る他の例を示す図であり、光導波路部材を部材装着用台に取り付けた状態を示す斜視図である。
【図４０】図３９の要部断面図である。
【図４１】図３９の部材装着用台の斜視図である。
【図４２】図３９の押さえ部材の斜視図である。
【図４３】本発明の光ジャンクションコネクタの更に他の一実施の形態を示す分解斜視図である。
【図４４】一方及び他方の光コネクタの嵌合前の状態を示す斜視図である。
【図４５】一方及び他方の光コネクタの嵌合前の状態を示す一部断面を含む斜視図である。
【図４６】一方及び他方の光コネクタの嵌合状態を示す斜視図である。
【図４７】光導波路部材を部材装着用台に取り付けた状態を示す斜視図である。
【図４８】光導波路部材を押さえ付けた状態を示す一部断面を含む斜視図である。
【図４９】光導波路部材を押さえ付けた状態を示す一部断面を含む斜視図である。
【図５０】コネクタハウジングの断面斜視図である。
【図５１】光導波路部材の押さえ付けに係る他の例を示す図であり、光導波路部材を部材装着用台に取り付けた状態を示す斜視図である。
【図５２】図５１の要部断面図である。
【図５３】図５１の部材装着用台の斜視図である。
【図５４】図５１の押さえ部材の斜視図である。
【図５５】光導波路部材の押さえ付けに係る他の例を示す図であり、光導波路部材を部材装着用台に取り付けた状態を示す斜視図である。
【図５６】図５５の要部断面斜視図である。
【図５７】図５５の要部断面図である。
【図５８】図５５の部材装着用台の斜視図である。
【図５９】図５５の押さえ部材の斜視図である。
【図６０】光導波路部材の押さえ付けに係る他の例を示す図であり、光導波路部材を部材装着用台に取り付けた状態を示す斜視図である。
【図６１】図６０の要部断面図である。
【図６２】図６０の部材装着用台の斜視図である。
【図６３】図６０の押さえ部材の斜視図である。
【図６４】光導波路部材の押さえ付けに係る他の例を示す図であり、光導波路部材を部材装着用台に取り付けた状態を示す斜視図である。
【図６５】図６４の要部断面斜視図である。
【図６６】図６４の要部断面図である。
【図６７】図６４の部材装着用台の斜視図である。
【図６８】図６４の押さえ部材の斜視図である。
【図６９】従来例の光導波路モジュールの斜視図である。
【符号の説明】
【０１３２】
２１  光ジャンクションコネクタ
２２  光ファイバ
２３  光導波路部材
２４  一方の光コネクタ
２５  他方の光コネクタ
２６  コネクタハウジング
２７  部材装着用台
２８  押さえ部材
２９  フェルール
３０  押圧部材
３１  押圧部材押さえ用キャップ
３２  アーム係止部（ロック部）
３３  ガイド溝
３４  ガイド突起
３５  係止突起
３６  光導波路
３７  基板
３８  装着部
３９、４０  フェルール接続部
４１  案内部
４２  凸部
４３  被案内部
４４  係止部
４５  ガイド溝
４６  コネクタハウジング
４７  フェルール
４８  押圧部材
４９  押圧部材押さえ用キャップ
５０  ロッキングアーム（ロック部）
５１、５２  ガイド突起
５３  係止突起
５４  凸部
５５  ストッパ
５６  貫通孔
５７  係止部
５８  ガイド溝
【図１】
2005189815.tif 000003
【図２】
2005189815.tif 000004
【図３】
2005189815.tif 000005
【図４】
2005189815.tif 000006
【図５】
2005189815.tif 000007
【図６】
2005189815.tif 000008
【図７】
2005189815.tif 000009
【図８】
2005189815.tif 000010
【図９】
2005189815.tif 000011
【図１０】
2005189815.tif 000012
【図１１】
2005189815.tif 000013
【図１２】
2005189815.tif 000014
【図１３】
2005189815.tif 000015
【図１４】
2005189815.tif 000016
【図１５】
2005189815.tif 000017
【図１６】
2005189815.tif 000018
【図１７】
2005189815.tif 000019
【図１８】
2005189815.tif 000020
【図１９】
2005189815.tif 000021
【図２０】
2005189815.tif 000022
【図２１】
2005189815.tif 000023
【図２２】
2005189815.tif 000024
【図２３】
2005189815.tif 000025
【図２４】
2005189815.tif 000026
【図２５】
2005189815.tif 000027
【図２６】
2005189815.tif 000028
【図２７】
2005189815.tif 000029
【図２８】
2005189815.tif 000030
【図２９】
2005189815.tif 000031
【図３０】
2005189815.tif 000032
【図３１】
2005189815.tif 000033
【図３２】
2005189815.tif 000034
【図３３】
2005189815.tif 000035
【図３４】
2005189815.tif 000036
【図３５】
2005189815.tif 000037
【図３６】
2005189815.tif 000038
【図３７】
2005189815.tif 000039
【図３８】
2005189815.tif 000040
【図３９】
2005189815.tif 000041
【図４０】
2005189815.tif 000042
【図４１】
2005189815.tif 000043
【図４２】
2005189815.tif 000044
【図４３】
2005189815.tif 000045
【図４４】
2005189815.tif 000046
【図４５】
2005189815.tif 000047
【図４６】
2005189815.tif 000048
【図４７】
2005189815.tif 000049
【図４８】
2005189815.tif 000050
【図４９】
2005189815.tif 000051
【図５０】
2005189815.tif 000052
【図５１】
2005189815.tif 000053
【図５２】
2005189815.tif 000054
【図５３】
2005189815.tif 000055
【図５４】
2005189815.tif 000056
【図５５】
2005189815.tif 000057
【図５６】
2005189815.tif 000058
【図５７】
2005189815.tif 000059
【図５８】
2005189815.tif 000060
【図５９】
2005189815.tif 000061
【図６０】
2005189815.tif 000062
【図６１】
2005189815.tif 000063
【図６２】
2005189815.tif 000064
【図６３】
2005189815.tif 000065
【図６４】
2005189815.tif 000066
【図６５】
2005189815.tif 000067
【図６６】
2005189815.tif 000068
【図６７】
2005189815.tif 000069
【図６８】
2005189815.tif 000070
【図６９】
2005189815.tif 000071